【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
フィルタカートリッジを備えるフィルタ装置であって、前記フィルタカートリッジはハウジングを形成する上側シェルと下側シェルとを備え、前記上側シェルは上端壁および上部環状壁を有し、前記下側シェルは下端壁および下部環状壁を有し、前記上部環状壁は前記上端壁から前記下端壁に向けて延在するように設けられるとともに、前記下部環状壁は前記下端壁から前記上端壁に向けて延在するように設けられ、前記上部環状壁と前記下部環状壁とは結合されて設けられ、流体を連通するために前記上端壁において少なくとも１つの開口部を有し、前記上側シェルに接合されて流体を濾過するように配置されるフィルタ媒体を有し、前記下部環状壁が前記上側シェルの上方および周囲に延在するスカート部を構成するとともに、前記下部環状壁のスカート部がフィルタカートリッジの解除可能な取付けに適した保持構造を有するように構成された、フィルタ装置。
【請求項２】
前記保持構造は、半径方向の外側方向かつ前記下側シェル周囲の異なる角度位置に向かって延在する複数の保持タブを有する、請求項１のフィルタ装置。
【請求項３】
前記保持構造は前記下側シェルの円筒状の壁に形成された少なくとも１つのネジ部を有する、請求項１のフィルタ装置。
【請求項４】
前記上側シェルと前記下側シェルとは恒久的に取り付けられ、前記フィルタカートリッジは全体が使い捨て可能に設けられた、請求項１乃至請求項３のいずれか一項のフィルタ装置。
【請求項５】
前記下側シェルは装着ボウルを形成し、前記装着ボウルが再利用可能である一方で、前記上側シェルおよび前記フィルタ媒体は脱着および使い捨てが可能に設けられ、前記上側シェルは前記下側シェルに取り外し可能に結合されるように構成された、請求項１乃至請求項３のいずれか一項のフィルタ装置。
【請求項６】
前記フィルタカートリッジは燃料から水を濾過するとともに、燃料から微粒子を濾過するために適した燃料フィルタカートリッジであり、前記下側シェルは前記燃料フィルタカートリッジ内に水位インジケータを一体的に設けるために少なくとも部分的に透明に設けられ、前記下側シェルは水を重力により排出するための排出口を有し、前記排出口を開閉する排出バルブをさらに有する、請求項１乃至請求項５のいずれか一項のフィルタ装置。
【請求項７】
前記フィルタ媒体は、恒久的かつ取り外し不可能に前記上側シェルに接合されるように構成された、請求項１乃至請求項６のいずれか一項のフィルタ装置。
【請求項８】
気密的に前記上側シェルに接合し流体を濾過するように配置される前記フィルタ媒体のリングを有し、前記下側シェルは装着ボウルを形成し、前記上側シェルは前記装着ボウルが再利用可能である一方で、前記上側シェルおよび前記フィルタ媒体が脱着および使い捨て可能となるように前記下側シェルに取り外し可能に結合されて設けられた、請求項１乃至請求項３、請求項６及び請求項７のいずれか一項のフィルタ装置。
【請求項９】
前記上部環状壁と前記下部環状壁との間に配置されたシール部をさらに備え、前記シール部は前記上側シェルによって担持され、前記上側シェルおよび前記フィルタ媒体とともに使い捨て可能に設けられた、請求項１乃至請求項８のいずれか一項のフィルタ装置。
【請求項１０】
前記保持タブは前記スカート部の残りの部分に対して相対的に半径方向の外側に延在するように構成され、各保持タブの後方には個別の凹部が形成されるように構成された、請求項２のフィルタ装置。
【請求項１１】
前記保持タブは前記スカート部の周囲に等しい角度間隔で成形されるように構成されるとともに、前記下側シェルに形成されるように設けられた、請求項２又は請求項１０のフィルタ装置。
【請求項１２】
前記フィルタ装置は前記フィルタカートリッジとともに装着基部を備え、前記装着基部は基部環状壁を含むカップ形状の受け口を有し、前記フィルタカートリッジは装着状態において前記上側シェルが前記カップ形状の受け口に実質的に受け入れられた状態となるように構成されるとともに、前記基部環状壁は実質的に前記上側シェルを囲み前記下側シェルの前記スカート部と前記上側シェルの前記上部環状壁との間に形成されたチャネルに受け入れられるように構成され、前記装着基部は前記上側シェルの前記開口部に受け入れられる液体の流入および流出のために同軸上に配置された１対の流体管をさらに有する、請求項１及び請求項３乃至請求項９のいずれか一項のフィルタ装置。
【請求項１３】
前記フィルタ装置は前記フィルタカートリッジとともに前記装着基部を備え、前記保持タブは前記フィルタカートリッジを前記基部に装着状態に保持し、前記装着基部は基部環状壁を含むカップ形状の受け口を有し、前記フィルタカートリッジは装着状態において前記上側シェルが前記カップ形状の受け口に実質的に受け入れられた状態に設けられるとともに、前記基部環状壁は実質的に前記上側シェルを囲み前記下側シェルの前記スカート部と前記上側シェルの前記上環状壁との間に形成されたチャネルに受け入れられるように構成され、前記装着基部は前記上側シェルの開口部に受け入れられる液体の流入および流出のために同軸上に配置された１対の流体管をさらに有する、請求項２、請求項１０及び請求項１１のいずれか一項のフィルタ装置。
【請求項１４】
ハウジングを形成する上側シェルおよび下側シェルであって、前記上側シェルは上端壁および上部環状壁を有し、前記下側シェルは下端壁および下部環状壁を有し、前記上部環状壁は前記上端壁から前記下端壁に向かって延在するように構成されるとともに、前記下部環状壁は前記下端壁から前記上端壁に向かって延在するように構成され、前記上部環状壁と前記下部環状壁とは結合されて構成された、上側シェルおよび下側シェルと；
流体を連通するために前記上端壁に設けられた第１開口部であって、前記第１開口部にそって第１シール材が設けられる第１開口部と；
前記ハウジングに配置されたフィルタ媒体のリングと；
前記ハウジング内で前記フィルタ媒体の一端に気密的に取り付けられる逆流端部キャップであって、前記第１開口部と第２開口部に沿って設けられた第２シール材との略同軸上に前記第２開口部を有する逆流端部キャップと；
前記フィルタ媒体の他端に気密的に取り付けられる第２端部キャップと；
前記ハウジングと前記逆流端部キャップとの間に設けられるリブであって、前記逆流端部キャップと前記ハウジングとを一体的に接合するリブとを備える；
フィルタカートリッジ。
【請求項１５】
前記ハウジングおよび前記逆流端部キャップはプラスチック構造により設けられ、前記リブは前記逆流端部キャップにモールド成形され、前記上側シェルの内側に形成された複数の対応ポケット内の前記上側シェルにプラスチック溶接または接着剤で固定されるように設けられた、請求項１４のフィルタカートリッジ。
【請求項１６】
前記第２開口部は流出口を構成するとともに、前記第１開口部は流入口を構成し、前記カートリッジは燃料を前記第１開口部の流入口および前記逆流端部キャップの周囲を介してフィルタエレメントへ導くとともに、前記フィルタ媒体を介して前記第２開口部の流出口へと導くことに適するように構成され、前記第２端部キャップは前記下側シェルの本体から離間してその間には流路が形成されて排出口へと通じるように構成され、前記排出口を開閉するように配置された排水バルブをさらに有する、請求項１４又は請求項１５のフィルタカートリッジ。